(57)【要約】【課題】部品点数の削減と軽量化を可能にした縁無し眼鏡の丁番構造およびこの丁番構造を備えた縁無し眼鏡を提供する。【解決手段】眼鏡レンズ５の外側縁面５ｃ−１に、周方向に長い扁平な凹陥部２７を形成する。レンズ保持部材２３は、可撓性を有する薄い材料によって形成され、軸受部２３Ａとレンズ保持部２３Ｂ（２９ａ、２９ｂ、３０）を一体に有する。軸受部２３Ａは、外周に開放する平面視Ｃ字状の筒体に形成されている。レンズ保持部２３Ｂは、レンズ５の凹陥部２７に差し込まれ、接着剤によって固定される。軸受部２３Ａは、軸部２４Ａが挿通されると、内側に弾性変形されて小径化し、軸部２４Ａを押圧し保持する。【選択図】  図４
2009288683.tif 000002
【特許請求の範囲】
【請求項１】
眼鏡レンズの縁面に取り付けられたレンズ保持部材にテンプルを回動可能に取り付けるための縁無し眼鏡の丁番構造において、
前記眼鏡レンズの縁面には、不貫通穴である凹陥部が形成され、
前記テンプルの前端部には、前記レンズ保持部材によって回動可能に軸支される軸部が設けられており、
前記レンズ保持部材は、前記凹陥部に挿入されて固定されるレンズ保持部と、前記テンプルの軸部を回動可能に軸支する軸受部とを一体に有し、
前記レンズ保持部材の軸受部は、軸線方向両端が開放するとともに、外周が軸線方向に分断された外周側開放部を有する筒体に形成され、
前記レンズ保持部材のレンズ保持部は、前記軸受部の外周側開放部を形成する二つの開放端縁からそれぞれ軸受部の軸線方向に平行に延設された薄板状の保持片からなり、
前記それぞれの開放端縁に設けられた保持片は、軸受部の軸線方向において互いに重なり合わないように形成されている
ことを特徴とする縁無し眼鏡の丁番構造。
【請求項２】
請求項１記載の縁無し眼鏡の丁番構造において、
前記レンズ保持部材のレンズ保持部は、少なくとも一方の開放端縁に設けられた保持片が軸受部の軸線方向において離間して設けられた複数の保持片からなり、
他方の開放端縁に設けられた保持片が、前記一方の開放端縁に設けられた複数の保持片の間にくるように形成されている
ことを特徴とする縁無し眼鏡の丁番構造。
【請求項３】
請求項１または２に記載の縁無し眼鏡の丁番構造において、
前記レンズ保持部材は、弾性を有する透明な樹脂によって形成されている
ことを特徴とする縁無し眼鏡の丁番構造。
【請求項４】
請求項１〜３のうちのいずれか一項に記載の眼鏡の丁番構造において、
前記テンプルの前端部は、前記軸部の一方の端部に、眼鏡レンズの縁面に係合しテンプルの外側への回動を規制する回動規制部が設けられている
ことを特徴とする眼鏡の丁番構造。
【請求項５】
請求項４記載の眼鏡の丁番構造において、
前記テンプルの前端部は、前記軸部の他方の端部に、前記テンプルを開いた状態において両方のテンプルの間隔を広げるように延長する幅方向延長部が設けられている
ことを特徴とする眼鏡の丁番構造。
【請求項６】
請求項４または５記載の眼鏡の丁番構造において、
前記テンプルの前端部は、一本の線材が屈曲してなる形状をしている
ことを特徴とする眼鏡の丁番構造。
【請求項７】
請求項１〜６のうちのいずれか一項に記載の丁番構造を備えたことを特徴とする眼鏡。
【発明の詳細な説明】
【技術分野】
【０００１】
本発明は、縁無し眼鏡におけるレンズ保持機能を備えた丁番構造およびこの丁番構造を備えた眼鏡に関するものである。
【背景技術】
【０００２】
近年、軽量で、目立たず、リムにより視界が妨げられない等の利点から、縁無しタイプの眼鏡（以下、縁無し眼鏡ともいう）が注目されている。縁無し眼鏡の一例である特許文献１に記載の眼鏡について図を参照して説明する。図６は特許文献１に記載の縁無し眼鏡の全体図であり、図７はそのレンズ保持構造の部分拡大図である。この縁無し眼鏡１５は、眼鏡フレームとこの眼鏡フレームに取り付けられる左右一対の眼鏡レンズ（以下、レンズともいう）５、５とからなり、この眼鏡フレームは、前記左右のレンズ５、５の両内側を連結するブリッジ１３と、このブリッジ１３に取り付けられた左右一対の鼻当てパッド１４、１４と、前記左右のレンズ５、５の両外側にそれぞれ取り付けられた智７と、この智７に丁番４を介して開閉自在に連結されたテンプル３等によって構成されている。
【０００３】
眼鏡レンズ５の縁面５ｃのうち、外側（テンプル側）の部分５ｃ−１と内側の部分（ブリッジ側）５ｃ−２には不貫通穴１１と溝１２が形成され、レンズを保持するレンズ保持部材である智７とブリッジ１３にはピン１６とストッパ１７が形成されている。そして、前記ピン１６を前記不貫通穴１１に、前記ストッパ１７を前記溝１２に嵌合させた状態で接着剤により固定することにより、レンズ保持部材である智７とブリッジ１３がレンズ５をその縁面で直接保持している。
【０００４】
前記丁番４は、一般に智７の後端部内面に固定された連結具８と、テンプル３の前端部内面に固定された連結具９と、これらの連結具８、９を相対回動可能に連結する丁番ねじ１０の３部材で構成されている。それぞれの連結具８，９には前記丁番ねじが挿通される孔を備えたコマ部が１つもしくは複数形成され、それぞれの連結具のコマ部同士をそれぞれの孔が一致するように組み合わせた状態で、その孔に丁番ねじ４を挿通して回動自在にねじ止めされている。これによりテンプル３は智７に対して開閉可能に連結されている。智７の後端とテンプル３の前端にはそれぞれ合口１８、１９が形成されており、テンプルが完全に開いた状態では、それぞれの合口が接触して、それ以上開かないよう回動範囲を規制している。
【０００５】
【特許文献１】特許第３４４７４６２号公報
【発明の開示】
【発明が解決しようとする課題】
【０００６】
しかしながら、上記した特許文献１に記載されている従来の縁無し眼鏡は、丁番構造とレンズ保持構造を実現するために、レンズ縁面５ｃには穴１１や溝１２などの加工を施すとともに、智７にはその一端にレンズ保持部（ピン１６、ストッパ１７）を形成し他端に連結具８と合口１８を形成し、テンプル３にはその前端に連結具９と合口１９を形成する必要がある。また、連結具８，９を連結するための丁番ねじも必要である。このため、部品点数が多く、また、これら部品を形成するために必要な加工や作業も多かった。
【０００７】
また、特に縁無し眼鏡においては、軽量化の観点や眼鏡フレームを目立たなくして装用者の顔の印象に影響を与えないようにする観点から、智やテンプルを細い線材で形成することが望まれる場合がある。しかしながら、保持構造や丁番構造の小型化には限界があるため、智やテンプルを細い線材で形成しても、保持構造や丁番構造分だけ眼鏡フレームが重くなったり、保持構造や丁番構造が線材部分に比べて大きく目立ってしまったりする場合があった。
【０００８】
また、従来のように丁番ねじ１０を用いる丁番構造においては、テンプル３の開閉動作が繰り返されることにより丁番ねじがゆるんでくるため、締め直す作業が必要であった。
【０００９】
本発明は、上記したような従来の問題および要請に応えるべくなされたもので、その目的とするところは、レンズ保持機能と丁番機能を、構造簡易で、部品点数が少なく、軽量化可能に実現できる縁無し眼鏡の丁番構造およびこの丁番構造を備えた縁無し眼鏡を提供することにある。
【課題を解決するための手段】
【００１０】
上記目的を達成するために、本発明に係る眼鏡の丁番構造は、眼鏡レンズの縁面に取り付けられたレンズ保持部材にテンプルを回動可能に取り付けるための縁無し眼鏡の丁番構造において、前記眼鏡レンズの縁面には、不貫通穴である凹陥部が形成され、前記テンプルの前端部には、前記レンズ保持部材によって回動可能に軸支される軸部が設けられており、前記レンズ保持部材は、前記凹陥部に挿入されて固定されるレンズ保持部と、前記テンプルの軸部を回動可能に軸支する軸受部とを一体に有し、前記レンズ保持部材の軸受部は、軸線方向両端が開放するとともに、外周が軸線方向に分断された外周側開放部を有する筒体に形成され、前記レンズ保持部材のレンズ保持部は、前記軸受部の外周側開放部を形成する二つの開放端縁からそれぞれ軸受部の軸線方向に平行に延設された薄板状の保持片からなり、前記それぞれの開放端縁に設けられた保持片は、軸受部の軸線方向において互いに重なり合わないように形成されているものである。
【００１１】
また、本発明に係る眼鏡の丁番構造は、前記レンズ保持部材のレンズ保持部は、少なくとも一方の開放端縁に設けられた保持片が軸受部の軸線方向において離間して設けられた複数の保持片からなり、他方の開放端縁に設けられた保持片が、前記一方の開放端縁に設けられた複数の保持片の間にくるように形成されているものである。
【００１２】
また、本発明に係る眼鏡の丁番構造は、前記レンズ保持部材は、弾性を有する透明な樹脂によって形成されているものである。
【００１３】
また、本発明に係る眼鏡の丁番構造は、前記テンプルの前端部は、前記軸部の一方の端部に、眼鏡レンズの縁面に係合しテンプルの外側への回動を規制する回動規制部が設けられているものである。
【００１４】
また、本発明に係る眼鏡の丁番構造は、前記テンプルの前端部は、前記軸部の他方の端部に、前記テンプルを開いた状態において両方のテンプルの間隔を広げるように延長する幅方向延長部が設けられているものである。
【００１５】
また、本発明に係る眼鏡の丁番構造は、前記テンプルの前端部は、一本の線材が屈曲してなる形状をしているものである。
【００１６】
さらに、本発明に係る眼鏡は、上記の丁番構造を備えているものである。
【発明の効果】
【００１７】
本発明によれば、レンズ保持部材に設けた軸受部によってテンプルの前端に設けた軸部を回動可能に軸支しているので、連結具を設けたり、ねじで両部材を連結する必要がなく、部品点数の削減および軽量化を実現することができる。
【００１８】
また、本発明においては、レンズ保持部材を眼鏡レンズに直接固定しているので、縁無し眼鏡に適用することができる。また、テンプルの前端の回動部は線状材が屈曲した形状をしているため、部品点数および組立工数を一層削減することができる。また、軸受部の弾性変形により軸受部と軸部との間に摺動摩擦抵抗を付与しているので、テンプルのふらつきを防止することができる。また、テンプルは軸部より折り畳まれるので、眼鏡のフロント部背面に折り畳まれた状態において、眼鏡の外側に突出せず、フロント部の幅を通常の眼鏡に比べて小さくすることができる。
【００１９】
また、レンズ保持部材を透明なプラスチックで形成しているので、レンズ保持部をレンズに形成した凹陥部に差し込んでも目立たなくできる。また、レンズの縁面とテンプル先端部に設けた回動規制部との接触によりテンプルの開放の上限を規制しているので、テンプルの回動範囲の規制を簡易が構造で実現できる。
【００２０】
また、本発明においては、部品点数が少なく軽量な眼鏡を提供することができる。
【発明を実施するための最良の形態】
【００２１】
以下、本発明を図面に示す実施の形態に基づいて詳細に説明する。
図１は本発明に係る丁番構造を採用した縁無し眼鏡の一実施の形態を示す平面図、図２は丁番構造の斜視図、図３は丁番構造を構成するレンズ保持部材の自然な状態における斜視図、図４は丁番構造の分解斜視図、図５（ａ）〜（ｃ）は本発明に係る丁番構造を採用した縁無し眼鏡におけるテンプルの開閉動作を説明するための図である。
【００２２】
これらの図において、縁無し眼鏡２０は、左右一対の眼鏡レンズ（以下、レンズと称する）５、５と、これらレンズ５、５を保持する眼鏡フレームとからなり、この眼鏡フレームは、これらのレンズ５、５の両内側を連結するブリッジ２１と、このブリッジ２１に取付けられた左右一対の鼻当てパッド２２、２２と、各レンズ５の縁面５ｃのテンプル側（外側）縁面５ｃ−１を保持する左右一対からなるレンズ保持部材２３、２３と、各レンズ保持部材２３によって開閉可能に軸支された左右一対からなるテンプル２４、２４を備えている。
【００２３】
レンズ５は、プラスチック（合成樹脂）によって製作されたレンズ（例えば、メニスカスレンズ）からなり、レンズ前面（凸側光学面）５ａ、レンズ後面（凹側光学面）５ｂおよび縁面５ｃを有している。レンズ５の材質としては、ジエチレングリコールビスアリルカーボネイト（Ｃ−３９）またはその混合系からなる共重合体等のアリル系レンズ、ポリカーボネイト系レンズ、アクリル系レンズ、ビスフェノールＡ誘導体系レンズ、ポリウレタン系レンズ（ポリチオウレタン系レンズ、ポリウレタンウレア系レンズを含む）等の合成樹脂が挙げられる。特に本発明に係る眼鏡２０の丁番構造に好ましい材料は、耐衝撃性、引っ張り強度等に優れているポリウレタン系レンズである。
【００２４】
前記レンズ５の縁面５ｃで、レンズ保持部材２３によって保持される部位、すなわち、テンプル側縁面５ｃ−１には、凹陥部２７（図４）が形成されている。この凹陥部２７は、レンズ５のテンプル側（外側）縁面５ｃ−１に上下方向に長く（レンズ厚さ方向に狭く）形成された扁平な不貫通穴からなり、凹陥部２７のレンズ厚さ方向の幅が前記レンズ保持部材２３に突設されたレンズ保持部２３Ｂ（保持片２９ａ、２９ｂ、３０の長さ）の板厚と略等しく（０．４〜１．２ｍｍ程度）、凹陥部２７のレンズ上下方向の幅がレンズ保持部材２３に突設されたレンズ保持部２３Ｂの軸部２３Ｂの軸方向の幅と等しく（凹陥部２７のレンズ厚さ方向幅の数倍程度長い）、凹陥部２７の深さがレンズ保持部材２３に突設されたレンズ保持部２３Ｂの長さ（保持片２９ａ、２９ｂ、３０の長さ）と略等しく（１．５〜４．０ｍｍ程度）設定されている。なお、凹陥部２７を設ける位置（レンズ縁面における開口位置と穿孔方向）は、凹陥部２７の前方側内壁面２７ａからレンズ前面５ａまでの厚さ、及び、凹陥部２７の後方側内壁面２７ｂからレンズ後面５ｂまでの厚さが、強度的に十分な厚さを有している範囲内で適宜設定するとよい。この実施の形態では、光軸に略平行な縁面５ｃを備えたメニスカスレンズに対してその縁面５ｃの幅方向における所定の比率の位置（例えば中央）に凹陥部２７の開口を設け、穿孔方向はレンズ前面５ａと前面側内壁面２７ａとの間隔が、凹陥部２７の開口と奥端とでほぼ同じになるように設定しているため（以下このような穿孔方向をレンズ前面５ａに対して略平行とも表現する）、凹陥部２７はレンズ縁面５ｃの垂直方向に対して傾斜して形成されている。なお、開口位置はレンズ前面５ａまたは後面５ｂを基準にして所定の距離の位置に設定してもよい。また、穿孔方向についても、レンズ後面５ｂと後面側内壁面２７ｂとの間隔が、凹陥部２７の開口と奥端とでほぼ同じになるように設定してもよい（以下このような穿孔方向をレンズ後面５ｂに対して略平行とも表現する）し、凹陥部２７の開口と奥端とで凹陥部２７がレンズ５の厚さ方向におけるの所定の比率の位置（例えば中央）を通る方向に設定してもよい（以下このような穿孔方向をレンズ前面５ａ及びレンズ後面５ｂに対して略平行とも表現する）。また、縁面５ｃや光軸に対して所定の角度（例えば垂直）をなす方向に穿孔方向を設定してもよい。
【００２５】
前記レンズ保持部材２３は、前記回動部４１Ａを軸支する軸受部２３Ａと、前記凹陥部２７に挿入されて固定されるレンズ保持部２３Ｂとを有している。また、前記テンプル２４は、その前端側に形成された回動部４１Ａと、この回動部４１Ａの後端に繋がっている側部４１Ｂとからなっている。前記回動部４１Ａは前記軸受部によって軸支される略垂直方向に形成されている軸部２４Ａと、この軸部２４Ａと前記側部４１Ｂとを連結する部分であり眼鏡の幅方向に延長する部分を有する幅方向延長部４３と、前記軸部２４Ａの先端に屈曲して連結された回動規制部４４とを有する。以下、レンズ保持部材２３と、テンプル２４の回動部４１Ａについてさらに詳述する。
【００２６】
前記レンズ保持部材２３は、透明で可撓性を有するプラスチックの成形品からなり、軸受部２３Ａとレンズ保持部２３Ｂとを一体に有している。軸受部２３Ａは、前記回動部４１Ａの軸部２４Ａを回動自在に保持する部分であり、前記回動部４１Ａとともに丁番構造を構成する部分で、図３に示すように両端にそれぞれ開放する２つの軸線方向側開放部３１ａ、３１ｂと、外周に開放する１つの外周側開放部３２とを有する平面視Ｃ字状の筒体に形成されている。軸受部２３Ａの内径は、外周側開放部３２を閉じた状態で、軸部２４Ａの外径とほぼ同じかそれより若干小さく設定している。軸受部２３の内径を小さくするほど軸部４１Ａが回動する際の摺動摩擦抵抗（アガキ）が大きくなるので、適度なアガキが得られるように軸受部２３Ａの内径を設定するとよい。軸受部２３Ａは、自然な状態において外周側開放部３２が適度に開いた状態を保持するように形成されている。このように形成すると、軸部４１Ａの装着が容易になるので好ましい。なお、外周側開放部３２が自然な状態において閉じているように形成し、軸部２４Ａを軸受部２３Ａに装着する際に外周開放部３２を拡げるようにしてもよい。
【００２７】
前記レンズ保持部２３Ｂは、前記レンズに設けられた凹陥部２７に挿入されて固定される部分であり、凹陥部２７とともにレンズ保持構造を形成する部分で、前記軸受部２３Ａの外周側開放部３２を形成する各開放端縁３３ａ、３３ｂに、板厚方向において互いに重なり合わないように前記軸受部２３Ａの軸線方向に離間してそれぞれ一体にかつ略平行に延設された細長い矩形の保持片２９ａ、２９ｂ、３０とで構成されている。前記保持片２９ａ、２９ｂは、前記開放端縁３３ａに設けられ、前記保持片３０は前記開放端縁３３ｂに設けられており、これらの保持片２９ａ、２９ｂ、３０は、軸受部２３Ａの軸線を含む面を形成するように軸受部２３Ａの外周側に突設されている。
【００２８】
前記一方の開放端縁３３ａに突設されている２つの保持片２９ａ、２９ｂは、開放端縁３３ａの上端と下端にそれぞれ突設され、これら両保持片２９ａ、２９ｂ間に他方の開放端縁３３ｂに突設されている保持片３０と略同じ大きさの空間３５が形成されている。
【００２９】
前記他方の開放端縁３３ｂに突設されている保持片３０は、他方の開放端縁３３ｂの高さ方向中央に前記空間３５に対応して形成されており、前記軸受部２３Ａを内側に弾性変形させて外周側開放部３２を閉じたとき、前記空間３５に入り込んで軸受部２３Ａの軸線方向において前記保持片２９ａ、２９ｂと重なり合い、これら保持片２９ａ、２９ｂとともに１枚の平板なレンズ保持部２３Ｂを形成するように構成されている。上側の保持片２９ａの下端面３７と、下側の保持片２９ｂの上端面３８は、他方の保持片３０の空間３５への入り込みを容易にする案内面をそれぞれ形成している。保持片２９ａの案内面３７は、保持片３０側から見て斜め下方に傾斜する斜面に形成され、保持片２９ｂの案内面３８は同じく保持片３０側から見て案内面３７と同一角度ではあるが斜め上方に傾斜する斜面に形成されている。
【００３０】
一方、前記保持片３０の上面３９と下面４０は、前記案内面３７、３８と同一角度で同方向にそれぞれ傾斜する斜面に形成されており、保持片３０が空間３５にはめ込まれると前記案内面３７、３８にそれぞれ密接または近接して対向する。なお、本実施の形態においては、一方の開放端縁３３ａに２つの保持片２９ａ、２９ｂを突設し、他方の開放端縁３３ｂに１つの保持片３０を突設したが、保持片の数は適宜増減し得るものである。例えば、一方の開放端縁に設ける保持片を３つ以上にし、この保持片の数より１つ少ない保持片を他方の開放端縁に設けてもよい。また、一方の開放端縁に設ける保持片と他方の開放端縁に設ける保持片とを同数にしてもよい。同数にする場合において、片方の開放端縁に設ける保持片が２つ以上の場合は、一方の開放端縁に設けられた保持片の間の空間に他方の開放端縁に設けられた保持片のうち一番上または一番下の保持片以外の保持片を嵌め込み、他方の開放端縁に設けられた保持片の間の空間に一方の開放端縁に設けられた保持片のうちの一番下または一番上の保持片以外の保持片を嵌め込むようにするとよい。また、一方の開放端縁及び他方の開放端縁にそれぞれ１つづつ保持片を設ける場合は、一方の保持片の上側または下側に他方の保持片がくるようにするとよい。なお、上記した例は、隣接する保持片が密接に配置されるようしているが、各保持片の間に隙間を設けることもできる。また上記例では、各保持片の正面視形状は同じであるが、各保持片の形状が異なる場合でもよい（例えば、レンズ保持部２３Ｂ全体の正面視形状がくさび形の形状や、先端を丸くした形状になるように、各保持片の形状を異ならせてもよい。また、各保持片の幅を異ならせてもよい。この場合は嵌り合う保持片の幅に合わせて空間の幅を設定するとよい）。
【００３１】
なお、レンズ保持部材２３（少なくともレンズ保持部２３Ｂ）を透明な樹脂で形成するとともに、凹陥部２７に挿入されたレンズ保持部２３Ｂと凹陥部２７の内壁面との隙間に透明な樹脂（接着剤）を充填すると、レンズ保持部２３Ｂや凹陥部２７が目立たなくなり、眼鏡装用者の視界に入っても気にならないと言う点で好ましい。より好ましくはレンズ保持部材を無色透明の樹脂で形成し、接着剤を無色透明のものを用いるとよい。
【００３２】
また、レンズ保持部材２３は色付きであってもよく（透明、半透明、不透明含む）、また、レンズ保持部２３Ｂに模様を設けてもよい。また、レンズ保持部材２３を金属等に薄板で形成してもよい。
【００３３】
前記テンプル２４は、直径が０．４〜１．２ｍｍφ程度の細い線材の折り曲げ加工によって平面視Ｌ字状に形成されることにより、内側に屈曲された前端側が回動部４１Ａを形成し、後方に延在する後端側が側部４１Ｂを形成している。すなわち、このテンプル２４は、一体形成された回動部４１Ａと側部４１Ｂとで構成され、この回動部４１Ａは前記レンズ保持部材２３とともに丁番構造を形成するものである。
【００３４】
回動部４１Ａを含むテンプル２４の材質としては、ＴｉまたはＴｉ合金、鉄系合金、純金（２４金）、金合金（例えば、１４金、１８金など）、洋白、モネル、ハイニッケル、ステンレス等のニッケル合金、またはブロンズやベリリウム銅等の銅合金の金属材料やポリアミド、ＰＡＳ、ＰＥＳ等の樹脂等が用いられる。
【００３５】
回動部４１Ａは、略水平で眼鏡２０の左右方向の幅を拡げるように延在する幅方向延長部４３と、この幅方向延長部４３の内端（ブリッジ側端）より下方に略直角に折り曲げられた軸部２４Ａと、この軸部２４Ａの下端に眼鏡２０の前方に向かって折り曲げ形成された回動規制部４４とで構成され、幅方向延長部４３の外端に前記側部４１Ｂが一体に設けられている。なお、図４においては、幅方向延長部４３と側部４１Ｂとの間に下方に折り曲げられた高さ方向延長部４１Ｃを設けている。側部４１Ｂは、眼鏡２０の後方に向かって略水平に延在し、後端部が斜め下方に折り曲げられ、装用者の耳に掛けられるモダン４６を形成している。
【００３６】
前記回動部４１Ａの軸部２４Ａは、前記レンズ保持部材２３の軸受部２３Ａによって回動可能に軸支される。軸部２４Ａの外径は、レンズ保持部材２３の外周側開放部３２が開いた自然な状態における軸受部２３Ａの内径より小さく、外周側開放部３２が閉じた状態における軸受部２３Ａの内径とほぼ同じかそれより若干大きく設定されている。軸部２４Ａの上端は略垂直に折れ曲がって前記幅方向延長部４３につながり、軸部２４Ａの下端は略垂直に折れ曲がって前記回動規制部４４につながっている。そして軸部２４Ａの長さは、前記レンズ保持部材２３の軸受部２３Ａと同じか、若干短く設定されている。この幅方向延長部４３と回動規制部４４は、軸部２４Ａが軸受部２３Ａに対して上下方向に移動しないように規制する働きをしている。すなわち、軸部２４Ａが軸受部２３Ａに軸支されている状態では、前記幅方向延長部４３はその軸部２４Ａ側の端部が、軸受部２３Ａの上端に接触するので、軸部２３Ａの高さ方向の下限位置を規制しており、前記回動規制部４４はその軸部２４Ａ側の端部が、軸受部２３Ａの下端に接触して軸部２３Ａの高さ方向の上限位置を規制しているので、回動部４１Ａはレンズ保持部材２３に対して所定の高さで軸支される。なお、軸部２４Ａの長さを前記軸受部より短くするほど、幅方向延長部４３と回動規制部４４が軸受け部２３Ａの上下端に押圧される力が強くなるので、テンプル開閉時のアガキが増大する。したがって、適切なアガキが得られるように軸部２４Ａと軸受部２３Ａの長さを設定するとより好ましい。
【００３７】
前記幅方向延長部４３は、テンプル２４を開いた状態で眼鏡の幅が拡がるように外側に拡がって側部４１Ｂにつながっているため、テンプル２４を閉じた状態で側部４１Ｂがレンズ５や鼻当てパッド２２と干渉したり、幅方向延長部４３がレンズ５の外側縁面５ｃ−１と接触することを防いでいる。
【００３８】
前記回動規制部４４は、テンプル２４を開いた状態において前方に突出するように軸部２４Ａの下端に屈曲してつながっている。このような構成により、テンプル２４を開いて、軸部２４Ａが回転して回動規制部４４の内側がレンズ縁面５ｃ−１に接触することによりテンプル２４が開く範囲の上限を規制している。
【００３９】
次に本発明に係る丁番構造の動作について図５を参照して説明する。
図５（ａ）は、テンプルを完全に開いた状態の平面図であり、図５（ｂ）はその正面図であり、図５（Ｃ）は、テンプルが閉じる途中あるいは開く途中の状態を示す平面図である。
【００４０】
図５（ｃ）に示すように、テンプル２４が完全に開いていない状態では、回動規制部２４の内側の面はレンズ外側の縁面５ｃ−１から離間している。この状態からテンプル２４をさらに開いていくと軸部２４Ａを軸にして回動規制部４４が回動する。そして回動規制部４４内側の面がレンズ縁面５ｃに近づき、やがて、図５（ａ）、図５（ｂ）に示すように回動規制部４４の内側の面がレンズ外側の縁面５ｃ−１（凹陥部２７の下方で、かつ、凹陥部よりレンズ前面５ｃ側）に接触する。これにより、回動規制部４４のこれ以上の回動はレンズ縁面により妨げられるため、この回動規制部４４がレンズ縁面に接触するところまでがテンプル２４の自然な状態（テンプル２４に負荷を掛けない状態）で開く最大角度として規制される。なお、回動規制部４４がレンズ縁面に接触した状態から、さらに、テンプル２４を開くように力を加えた場合は、テンプル２４は通常、弾性を有する材料で形成されているため、軸部２４Ａのねじれや、幅方向延長部４３、側部４１Ｂ、および、ブリッジ等の撓みにより、側部４１Ｂはそこからある程度拡がり、テンプル２４の弾性復元力により装用者の頭部を適度に挟む力を生じさせることができる。
【００４１】
次に、レンズ５に眼鏡フレームを取り付ける手順について説明する。
レンズへのブリッジの取り付けは、従来のリムレス眼鏡の保持構造が利用できるので、説明は省略する。
はじめに、左右の眼鏡レンズを用意し、その両外側に前記した凹陥部を所定の位置に形成する。この凹陥部の形成には公知の切削ツール（例えば、ボールエンドミル、ドリル、軸付電着ダイヤモンド砥石など）を利用することができる。
【００４２】
次に、レンズ保持部材２３とテンプル２４を用意し、レンズ保持部材２３の軸受部に軸部２４Ａを配置する。そしてレンズ保持部２３Ｂを閉じて各保持片が同一平面上に並んだ状態にして、予め接着用の透明樹脂が充填された前記凹陥部２７に挿入する。なお、レンズ保持部材２３の少なくともレンズ保持部２３Ｂは、予め濡れ性を向上させるための処理（例えばプラズマ洗浄処理、界面活性剤塗布など）をしておいたり、透明樹脂を凹陥部に充填する前あるいは充填後に真空中で脱気しておいたりすると、凹陥部内に泡が残らないので好ましい。なお、予めレンズ保持部材２３をレンズ５に取り付けておき、回動規制部４４を折り曲げない状態で軸受部２３Ａに挿入し軸受部の下方に軸部２４Ａより先を突出させ、その後軸部２４Ａより先の先端を折り曲げて回動規制部４４を形成してもよい。
【００４３】
なお、上記実施の形態においては、凹陥部２７がレンズ厚さ方向に狭い扁平の穴の場合（レンズ保持部２３Ｂの幅が板厚より長い場合）で説明したが、この場合は、レンズの縁面５Ｃが狭い場合であっても凹陥部２７を形成できる点、各保持片の幅を広くできる点、凹陥部２７の回転防止ができる点で好ましい。なお、凹陥部２７（レンズ保持部２３Ｂ）の形状は、非軸対象の形状であれば、レンズ保持部２３の回転を防止できるので、前記形状に限定されない。例えば、凹陥部２７がレンズ厚さ方向幅と上下方向幅が等しい穴の場合（レンズ保持部２３Ｂの幅と板厚が等しい場合）や、レンズ厚さ方向に広い扁平の穴の場合（レンズ保持部２３Ｂの板厚が幅より長い場合）であってもよい。
【００４４】
このような眼鏡２０の丁番構造においては、丁番を構成する部材が、レンズ保持部材２３とテンプル２４の２部材だけであるため、部品点数が少なく、きわめて簡単な丁番構造とすることができる。また、レンズ保持部材２３は、丁番構成部材に加えてレンズ保持部材を兼用し、テンプル２４は、丁番構成部材に加えて、ヨロイおよびテンプルを兼用しているので、きわめてシンプルで、機能美に溢れた斬新なデザインとすることができ、軽量化を図った縁無し眼鏡に適用して好適である。また、レンズ保持部材２３の形状、構造も簡単で、容易に製作することができる。さらに、テンプル２４は、軸部２４Ａを回動支点としてレンズ５のフロント部２５の裏側に折り畳まれるので、この折り畳まれた状態において、レンズ５の外側に突出せず、眼鏡２０の横幅が通常の眼鏡に比べて短く、収納スペースを小さくすることができる。
【図面の簡単な説明】
【００４５】
【図１】本発明に係る丁番構造を採用した眼鏡の一実施の形態を示す平面図である。
【図２】丁番構造の斜視図である。
【図３】第１の保持部材の自然な状態における斜視図である。
【図４】丁番構造の分解斜視図である。
【図５】（ａ）〜（ｃ）は本発明に係る丁番構造の動作を説明するための図である。
【図６】従来の縁無し眼鏡の全体図である。
【図７】従来の縁無し眼鏡のレンズ保持構造の部分拡大図である。
【符号の説明】
【００４６】
５…眼鏡レンズ、５ａ、５ｂ…光学面、５ｃ…縁面、２０…眼鏡、２１…ブリッジ、２３…レンズ保持部材、２３Ａ…軸受部、２３Ｂ…レンズ保持部、２４…テンプル、２７…凹陥部、２９ａ、２９ｂ、３０…保持片、３１ａ、３１ｂ、３２…開放部、４１Ａ…回動部、４１Ｂ…側部、４４…回動規制部。
【図１】
2009288683.tif 000003
【図２】
2009288683.tif 000004
【図３】
2009288683.tif 000005
【図４】
2009288683.tif 000006
【図５】
2009288683.tif 000007
【図６】
2009288683.tif 000008
【図７】
2009288683.tif 000009